(57)【特許請求の範囲】
【請求項１】
送話の無音時に送話系からのデータ送信を停止して無音圧縮を行なう無音圧縮通話装置において、送話の無音を判定する送話無音判定手段と、前記送話無音判定手段が無音と判定したレベルの送話データを騒音データとして記憶し、この騒音データを送話データの先頭または後方に付加する騒音データ付加手段と、受話データに付加された騒音データを検出する騒音データ検出手段と、前記騒音データ検出手段が検出した騒音データを蓄積する騒音データ蓄積手段と、送話および受話が無音の時に、前記騒音データ蓄積手段から騒音データを読み出して受話系に挿入する騒音データ挿入手段と、を有する騒音再生手段を備えたことを特徴とする無音圧縮通話装置。
【請求項２】
送話の無音時に送話系からのデータ送信を停止して無音圧縮を行なう無音圧縮通話装置において、予め設定した閾値より小さいレベルの受話データを騒音データとして抽出する騒音データ抽出手段と、前記騒音データ抽出手段が抽出した騒音データを蓄積する騒音データ蓄積手段と、送話および受話が無音の時に、前記騒音データ蓄積手段から騒音データを読み出して受話系に挿入する騒音データ挿入手段と、を有する騒音再生手段を備えたことを特徴とする無音圧縮通話装置。
【請求項３】
前記騒音再生手段は、受話データのレベルを監視する受話レベル監視手段を備え、前記騒音データ挿入手段が読み出す騒音データを前記受話レベル監視手段が監視した受話データのレベルに対応した値に設定することを特徴とする請求項１または請求項２記載の無音圧縮通話装置。
【発明の詳細な説明】
【０００１】
【発明の属する技術分野】
本発明は送話の無音時に送話系からのデータ送信を停止して無音圧縮を行なう無音圧縮通話装置に係り、特に送話データに送話系の騒音ノイズを付加して送信し、予め受話系に蓄積しておき、送話系が無音時の無音圧縮時に、蓄積した騒音ノイズを受話系に挿入して無音圧縮時の不自然さを解消する無音圧縮通話装置に関する。
【０００２】
【従来の技術】
従来の無音圧縮通話装置において、送話系が無音時で送話データを送出しない無音圧縮時には、受話系にカンファタブルノイズと称するノイズを接続し、送話無音時に送話側の騒音ノイズが送られてこない不自然さを解消させるようにしたものが知られている。
【０００３】
従来の無音圧縮通話装置の一例として、特許第２７２８１２２号公報に開示されているように、送話系が無音時に送話データを伝送しない無音圧縮時には、受話系に独立した雑音発生器を設け、受話系で再生音声の有音区間末尾の信号レベルを計算し、さらに複数の有音区間末尾の信号レベルを計算して記憶し、記憶した信号レベルの平均値で増幅器のゲインを変更することにより、雑音発生器から出力される雑音レベルを増幅器を介して変化させて無音圧縮時の雑音レベルを挿入し、無音圧縮時の受話系の不自然さを解消するように構成されたものが知られている。
【０００４】
【発明が解決しようとする課題】
特許第２７２８１２２号公報に開示された無音圧縮通話装置は、無音圧縮時に送話データを伝送することなく、伝送の効率化を図るとともに、受話系に独立した雑音発生器から送話系の有音区間末尾の信号レベルに追従した変化のある雑音レベルを受話系に挿入し、無音圧縮時の無音であることの不自然さを変化のある雑音レベルを付加することにより解消させている。
【０００５】
しかし、受話系に挿入される雑音レベルは、発生源である雑音発生器が送話系の周囲騒音ノイズと無関係であるため、無音圧縮時に送話系の周囲騒音ノイズから逸脱した種類の雑音レベルとなってしまい、無音状態とは異なった意味で不自然さを発生してしまう課題がある。
【０００６】
この発明はこのような課題を解決するためになされたもので、その目的は送話系の騒音ノイズを無音区間の極短い期間だけ受話系に伝送して蓄積しておき、無音圧縮時に受話系に蓄積した騒音ノイズを継続して受話系に挿入して再生することにより、無音圧縮時に送話系の騒音ノイズを受話系に再生させる自然性に優れた無音圧縮通話装置を提供することにある。
【０００９】
【課題を解決するための手段】
前記課題を解決するためにこの発明に係る無音圧縮通話装置は、送話の無音時に送話系からのデータ送信を停止して無音圧縮を行なうものであって、送話の無音を判定する送話無音判定手段と、送話無音判定手段が無音と判定したレベルの送話データを騒音データとして記憶し、この騒音データを送話データの先頭または後方に付加する騒音データ付加手段と、受話データに付加された騒音データを検出する騒音データ検出手段と、騒音データ検出手段が検出した騒音データを蓄積する騒音データ蓄積手段と、送話および受話が無音の時に、騒音データ蓄積手段から騒音データを読み出して受話系に挿入する騒音データ挿入手段とを有する騒音再生手段を備えたことを特徴とする。
【００１０】
この発明に係る無音圧縮通話装置は、送話の無音を判定する送話無音判定手段と、送話無音判定手段が無音と判定したレベルの送話データを騒音データとして記憶し、この騒音データを送話データの先頭または後方に付加する騒音データ付加手段と、受話データに付加された騒音データを検出する騒音データ検出手段と、騒音データ検出手段が検出した騒音データを蓄積する騒音データ蓄積手段と、送話および受話が無音の時に、騒音データ蓄積手段から騒音データを読み出して受話系に挿入する騒音データ挿入手段とを有する騒音再生手段を備えたので、無音音声圧縮の送話データ禁止に影響を与えることなく、騒音データを送話データに付加することができるとともに、受話側では受話データと同時に供給される騒音データを検出して蓄積しておき、送話および受話が無音の時の無音圧縮時に、蓄積した騒音データを継続して受話系に挿入し、送話無音全期間中に受話系に騒音データを発生させることができ、送話系と同じ周囲騒音を発生させて違和感無く自然性に優れた受話系を構築することができる。
【００１５】
また、この発明に係る無音圧縮通話装置は、送話の無音時に送話系からのデータ送信を停止して無音圧縮を行なうものであって、予め設定した閾値より小さいレベルの受話データを騒音データとして抽出する騒音データ抽出手段と、騒音データ抽出手段が抽出した騒音データを蓄積する騒音データ蓄積手段と、送話および受話が無音の時に、騒音データ蓄積手段から騒音データを読み出して受話系に挿入する騒音データ挿入手段とを有する騒音再生手段を備えたことを特徴とする。
【００１６】
この発明に係る無音圧縮通話装置は、送話の無音時に送話系からのデータ送信を停止して無音圧縮を行なうものであって、予め設定した閾値より小さいレベルの受話データを騒音データとして抽出する騒音データ抽出手段と、騒音データ抽出手段が抽出した騒音データを蓄積する騒音データ蓄積手段と、送話および受話が無音の時に、騒音データ蓄積手段から騒音データを読み出して受話系に挿入する騒音データ挿入手段とを有する騒音再生手段を備えたので、受話系だけで予め設定した閾値より小さいレベルの受話データを騒音データとして抽出し、騒音データを蓄積しておき、送話および受話が無音の時に、蓄積した騒音データを継続して受話系に挿入し、送話無音全期間中に受話系に騒音データを発生させることができ、送話系と同じ周囲騒音を発生させて違和感なく自然性に優れた受話系を構築することができる。
【００１７】
さらに、この発明に係る騒音再生手段は、受話データのレベルを監視する受話レベル監視手段を備え、騒音データ挿入手段が読み出す騒音データを受話レベル監視手段が監視した受話データのレベルに対応した値に設定することを特徴とする。
【００１８】
この発明に係る騒音再生手段は、受話データのレベルを監視する受話レベル監視手段を備え、騒音データ挿入手段が読み出す騒音データを受話レベル監視手段が監視した受話データのレベルに対応した値に設定するので、騒音データ挿入手段が読み出す騒音データを受話データのレベルに対応させて変化させることができ、受話データの変化に連動した実際に近い騒音データを構築することができる。
【００２２】
【発明の実施の形態】
以下、この発明の実施の形態を添付図面に基づいて説明する。図１はこの発明に係る無音圧縮通話装置の一実施の形態要部ブロック構成図である。なお、本実施の形態は、騒音再生手段４が送話系および受話系を含むものである。図１において、無音圧縮通話装置１は、送話増幅器２ａ、受話増幅器２ｂ、符号化／復号化装置３、騒音再生手段４、加算手段１２、送話データ送信手段１３、受話データ受信手段１４を備える。
【００２３】
送話増幅器２ａは、アナログの音声増幅器で構成し、送話ユニット等から提供される送話信号を増幅して符号化／復号化装置３に供給する。受話増幅器２ｂは、アナログの音声増幅器で構成し、符号化／復号化装置３から供給されるアナログの受話信号ならびに騒音を増幅して受話ユニット等に提供する。
【００２４】
符号化／復号化装置３は、コーデック（ＣＯＤＥＣ）で構成し、音声符号化装置３ａおよび音声復号化装置３ｂを備える。音声符号化装置３ａは、送話増幅器２ａから供給される送話のアナログ音声信号に符号化を施し、ディジタルの送話データＤTを加算手段１２および騒音再生手段４に供給する。音声復号化装置３ｂは、受話データ受信手段１４から供給されるディジタルの受話データＤRならびに騒音再生手段４から供給されるディジタルの騒音データＤSに復号化を施し、アナログの受話信号ならびに騒音を受話増幅器２ｂに供給する。
【００２５】
騒音再生手段４は、マイクロプロセッサを基本に各種処理機能、比較機能、メモリを有し、送話系５に送話無音判定手段６および騒音データ付加手段７、受話系８に騒音データ検出手段９、騒音データ蓄積手段１０および騒音データ挿入手段１１を備える。
【００２６】
送話無音判定手段６は、比較機能、低レベル検知機能を備え、音声符号化装置３ａから供給される送話データＤTと予め設定した送話が無音と見なされる無音レベルＬTとを比較し、送話の無音時に送話データＤTが無音レベルＬT以下の場合（ＤT≦ＬT）、送話データＤTの無音レベルＬT以下のレベルを検知し、騒音を表わすフラグＦを付けた騒音データＤSを騒音データ付加手段７に供給する。
【００２７】
また、送話無音判定手段６は、送話データＤTが無音レベルＬTを超える場合（ＤT＞ＬT）には、送話データＤTを削除して０レベルの騒音データＤSを騒音データ付加手段７に供給する。
【００２８】
騒音データ付加手段７は、一時メモリ、シーケンス機能を備え、送話無音判定手段６から供給されるフラグＦ付きの騒音データＤSを記憶し、音声符号化装置３ａから加算手段１２に送話データＤTが供給された時、送話データＤTの終了タイミングで極短期間だけ騒音データＤSを加算手段１２に供給し、送話データＤTの後に続けてフラグＦ付きの騒音データＤSを付加する。なお、騒音データ付加手段７は、フラグＦ付きの騒音データＤSを送話データＤTの先頭に付加する構成としてもよい。
【００３０】
騒音データ検出手段９は、データ検出機能、シーケンス機能を備え、受話データ受信手段１４から受話データＤRが供給されると、受話データＤRの後方に付加された騒音データＤSをフラグＦに基づいて検出し、騒音データＤSを騒音データ蓄積手段１０に供給する。
【００３１】
騒音データ蓄積手段１０は、加算機能、メモリを備え、騒音データ検出手段９から供給される騒音データＤSを加算して騒音として設定したレベルで制限し、継続して蓄積し、蓄積した騒音データＤSを騒音データ挿入手段１１に提供する。
【００３２】
また、騒音データ蓄積手段１０は、騒音データ検出手段９の機能を兼用し、騒音データ検出手段９がない構成の場合、受話データ受信手段１４から受話データＤRが供給されると、受話データＤRの後方に付加された騒音データＤSをフラグＦに基づいて抽出するように構成してもよい。
【００３３】
騒音データ挿入手段１１は、送受話の無音検出機能を備え、送話および受話の無音状態を検出した時、騒音データ蓄積手段１０に蓄積された騒音データＤSを読み出して音声復号化装置３ｂに供給し、受話系に騒音データＤSを挿入する。
【００３４】
なお、送話および受話の無音状態を検出した時に、受話系に騒音データＤSを挿入する理由は、受話（相手の送話）が無音であっても自分が送話中の場合には、相手側の騒音が聞こえてこなくても、自分の送話が受話系に回り込む側音の存在により、不自然とならないためである。
【００３５】
加算手段１２は、データ合成機能を有し、音声符号化装置３ａから供給される送話データＤTの先頭または後方に騒音データ付加手段７から供給される騒音データＤSを付加し、騒音データＤSを付加した送話データＤTを送話データ送信手段１３に提供する。
【００３６】
送話データ送信手段１３は、回線インタフェース機能、無音圧縮機能を備え、加算手段１２から提供される騒音データＤSを付加した送話データＤTを回線に送信する。また、送話データ送信手段１３は、送話データＤTが無音状態の時、データ送信を禁止して送話の無音圧縮を実行する。
【００３７】
受話データ受信手段１４は、回線インタフェース機能を備え、回線から送信されてくる騒音データＤSが付加された受話データＤRを受信し、騒音データＤSが付加された受話データＤRを騒音データ検出手段９および音声復号化装置３ｂに供給する。
【００３８】
このように、この発明に係る無音圧縮通話装置１は、送話データＤTに送話系の一部周囲騒音に対応した騒音データＤSを付加する騒音データ付加手段７と、受話データＤR（＋騒音データＤS）から騒音データＤSを抽出して蓄積する騒音データ蓄積手段１０と、送話および受話が無音の時に、騒音データ蓄積手段１０から騒音データＤSを読み出して受話系に挿入する騒音データ挿入手段１１とを有する騒音再生手段４を備えたので、送話データＤTに一部騒音データＤSを付加して伝送し、受話系で伝送されてくる受話データＤR（＋騒音データＤS）から騒音データＤSを抽出して蓄積しておき、送話および受話が無音の時の無音圧縮時に、蓄積した騒音データＤSを継続して受話系に挿入し、送話無音全期間中に受話系に騒音データＤSを発生させることができ、送話系と同じ周囲騒音を発生させて違和感なく自然性に優れた受話系を構築することができる。
【００３９】
また、この発明に係る騒音再生手段４は、送話の無音を判定する送話無音判定手段６を備え、騒音データ付加手段７は、送話無音判定手段６が無音と判定したレベルの送話データＤTを騒音データＤSとして記憶し、騒音データＤSを送話データＤTの先頭または後方に付加するので、無音音声圧縮の送話データ禁止に影響を与えることなく、騒音データＤSを送話データＤTに付加することができ、受話側に騒音データＤSを蓄積して受話系に送話系と同じ騒音データＤSを発生させ、無音時も自然性に優れた受話系を構築することができる。
【００４０】
さらに、この発明に係る騒音再生手段４は、受話データＤRに付加された騒音データＤSを検出する騒音データ検出手段９を備え、騒音データ検出手段９が検出した騒音データＤSを騒音データ蓄積手段１０に蓄積するので、受話データＤRと同時に供給される騒音データＤSを検出して蓄積することができ、無音時に騒音データＤSを受話系に挿入して送話系と違和感のない騒音を再生することができる。
【００４１】
図２はこの発明に係る無音圧縮通話装置の別実施の形態要部ブロック構成図である。なお、本実施例は、騒音再生手段１６が受話系だけを含むものである。図２において、無音圧縮通話装置１５は、送話増幅器２ａ、受話増幅器２ｂ、符号化／復号化装置３、騒音再生手段１６、送話データ送信手段１３、受話データ受信手段１４を備える。無音圧縮通話装置１５は、騒音再生手段１６を付加し、騒音再生手段４および加算手段１２を削除した点が図１に示す無音圧縮通話装置１と異なる。また、送話増幅器２ａ、受話増幅器２ｂ、符号化／復号化装置３、騒音再生手段４、送話データ送信手段１３、受話データ受信手段１４は、図１で説明したので、騒音再生手段１６についてのみ説明する。
【００４２】
騒音再生手段１６は、騒音データ抽出手段１７、騒音データ蓄積手段１８、騒音データ挿入手段１９を備える。
【００４３】
騒音データ抽出手段１７は、データ比較機能を備え、予め騒音データＤSとして採用するために閾値ＬTを設定し、送話無音圧縮時に受話データ受信手段１４から供給される受話データＤRを閾値ＬTと比較し、受話データＤRが閾値ＬTを下回る場合（ＤR＜ＬT）、設定した閾値ＬTより小さいレベルの受話データＤRを騒音データＤSとして抽出し、騒音データＤSを騒音データ蓄積手段１８に供給する。
【００４４】
騒音データ蓄積手段１８は、加算機能、メモリを備え、騒音データ抽出手段１７から供給される騒音データＤSを加算して騒音として設定したレベルで制限して蓄積し、蓄積した騒音データＤSを騒音データ挿入手段１９に提供する。
【００４５】
騒音データ挿入手段１９は、送受話の無音検知機能を備え、送話および受話の無音状態を検出した時、騒音データ蓄積手段１８に蓄積された騒音データＤSを読み出して音声復号化装置３ｂに供給し、受話系に騒音データＤSを挿入する。
【００４６】
騒音再生手段１６は、送話無音圧縮時に受話データ受信手段１４から供給される極微小の受話データＤRを閾値ＬTと比較することにより、騒音データＤSを生成するので、送話無音圧縮時に影響を及ぼすことがない。
【００４７】
このように、この発明に係る無音圧縮通話装置１５は、送話の無音時に送話系からのデータ送信を停止して無音圧縮を行なうものであって、受話データＤRから無音時の閾値ＬTより小さいレベルの受話データＤRを騒音データＤSとして抽出する騒音データ抽出手段１７と、騒音データ抽出手段１７が抽出した騒音データＤSを蓄積する騒音データ蓄積手段１８と、送話および受話が無音の時に、騒音データ蓄積手段１８から騒音データＤSを読み出して受話系に挿入する騒音データ挿入手段１９とを有する騒音再生手段１６を備えたので、受話系だけで無音時の閾値ＬTより小さいレベルの受話データを騒音データＤSとして抽出し、騒音データＤSを蓄積しておき、送話および受話が無音の時に、蓄積した騒音データＤSを継続して受話系に挿入し、送話無音全期間中に受話系に騒音データＤSを発生させることができ、送話系と同じ周囲騒音を発生させて違和感なく自然性に優れた受話系を構築することができる。
【００４８】
図３はこの発明に係る騒音再生手段の別実施の形態一部ブロック構成図である。図３において、騒音再生手段４，１６は、受話レベル監視手段２０を備える。受話レベル監視手段２０は、レベル検知機能を備え、受話データ受信手段１４から供給される受話データＤRのレベルを監視し、受話データＤRのレベルを騒音データ挿入手段１１，１９に供給する。
【００４９】
騒音データ挿入手段１１，１９は、騒音データ蓄積手段１０，１８が蓄積した騒音データＤSを読み出し、騒音データＤSを受話レベル監視手段２０が監視した受話データＤRのレベルに対応した値（レベル）に設定し、設定したレベルの騒音データＤSを図１または図２に示す音声復号化装置３ｂに提供するので、受話データＤRのレベルに対応したレベルの騒音データＤSを受話系に発生させることができる。
【００５０】
このように、この発明に係る騒音再生手段４，１６は、受話データＤRのレベルを監視する受話レベル監視手段２０を備え、騒音データ挿入手段１１，１９が読み出す騒音データＤSを受話レベル監視手段２０が監視した受話データＤRのレベルに対応した値（レベル）に設定するので、騒音データ挿入手段１１，１９が読み出す騒音データＤSを受話データＤRのレベルに対応させて変化させることができ、受話データＤRの変化に連動した実際に近い騒音データＤSを構築することができる。
【００５１】
図４はこの発明に係る騒音データ挿入手段から出力される騒音データの一特性図である。図４において、騒音データは、送話有音期間ＴSには、騒音データＤSが受話データ受信手段１４から音声復号化装置３ｂに供給されており、送話無音期間ＴOには、騒音データ挿入手段１１，１９から音声復号化装置３ｂに、騒音データＤSよりもレベルがＸｄＢ低い一定レベルの騒音データＤSaを供給する。
【００５２】
図５はこの発明に係る騒音データ挿入手段から出力される騒音データの別特性図である。図５において、送話無音期間ＴOには、騒音データ挿入手段１１，１９から音声復号化装置３ｂに、騒音データＤSよりもレベルが低く、時間経過とともに変化させたレベルの騒音データＤSb、ＤSc、ＤSdを供給する。
【００５３】
なお、（ａ）図に示す騒音データＤSbは、送話無音期間ＴOの時間経過に伴い、リニアに減少し、（ｂ）図に示す騒音データＤScは、指数関数的に減少し、（ｃ）図に示す騒音データＤSdは、正弦波状に変化する。
【００５４】
このように、この発明に係る騒音データ挿入手段１１，１９は、騒音データＤSを一定レベルＤSa、または時間経過とともに変化させたレベルＤSb〜ＤSdで出力するので、実際の騒音に近い形態で再生することができる。
【００５５】
なお、この発明に係る無音圧縮通話装置１，１５は、ＩＰ端末機、ＩＰ交換機およびＩＰゲートウェイに適用することができる。
【００５６】
【発明の効果】
以上説明したように、この発明に係る無音圧縮通話装置は、送話の無音を判定する送話無音判定手段と、送話無音判定手段が無音と判定したレベルの送話データを騒音データとして記憶し、この騒音データを送話データの先頭または後方に付加する騒音データ付加手段と、受話データに付加された騒音データを検出する騒音データ検出手段と、騒音データ検出手段が検出した騒音データを蓄積する騒音データ蓄積手段と、送話および受話が無音の時に、騒音データ蓄積手段から騒音データを読み出して受話系に挿入する騒音データ挿入手段とを有する騒音再生手段を備えたので、無音音声圧縮の送話データ禁止に影響を与えることなく、騒音データを送話データに付加することができるとともに、受話側では受話データと同時に供給される騒音データを検出して蓄積しておき、送話および受話が無音の時の無音圧縮時に、蓄積した騒音データを継続して受話系に挿入し、送話無音全期間中に受話系に騒音データを発生させることができ、送話系と同じ周囲騒音を発生させて違和感無く自然性に優れた受話系を構築することができる。
【００５９】
また、この発明に係る無音圧縮通話装置は、送話の無音時に送話系からのデータ送信を停止して無音圧縮を行なうものであって、予め設定した閾値より小さいレベルの受話データを騒音データとして抽出する騒音データ抽出手段と、騒音データ抽出手段が抽出した騒音データを蓄積する騒音データ蓄積手段と、送話および受話が無音の時に、騒音データ蓄積手段から騒音データを読み出して受話系に挿入する騒音データ挿入手段とを有する騒音再生手段を備えたので、受話系だけで予め設定した閾値より小さいレベルの受話データを騒音データとして抽出し、騒音データを蓄積しておき、送話および受話が無音の時に、蓄積した騒音データを継続して受話系に挿入し、送話無音全期間中に受話系に騒音データを発生させることができ、送話系と同じ周囲騒音を発生させて違和感なく自然性に優れた受話系を構築することができる。
【００６０】
さらに、この発明に係る騒音再生手段は、受話データのレベルを監視する受話レベル監視手段を備え、騒音データ挿入手段が読み出す騒音データを受話レベル監視手段が監視した受話データのレベルに対応した値に設定するので、騒音データ挿入手段が読み出す騒音データを受話データのレベルに対応させて変化させることができ、受話データの変化に連動した実際に近い騒音データを構築することができる。
【図面の簡単な説明】
【図１】この発明に係る無音圧縮通話装置の一実施の形態要部ブロック構成図
【図２】この発明に係る無音圧縮通話装置の別実施の形態要部ブロック構成図
【図３】この発明に係る騒音再生手段の別実施の形態一部ブロック構成図
【図４】この発明に係る騒音データ挿入手段から出力される騒音データの一特性図
【図５】この発明に係る騒音データ挿入手段から出力される騒音データの別特性図
【符号の説明】
１，１５  無音圧縮通話装置
２ａ  送話増幅器
２ｂ  受話増幅器
３  符号化／複合化装置
３ａ  音声符号化装置
３ｂ  音声復号化装置
４，１６  騒音再生手段
５  送話系
６  送話無音判定手段
７  騒音データ付加手段
８  受話系
９  騒音データ検出手段
１０，１８  騒音データ蓄積手段
１１，１９  騒音データ挿入手段
１２  加算手段
１３  送話データ送信手段
１４  受話データ受信手段
１７  騒音データ抽出手段
２０  受話レベル監視手段
ＤT  送話データ
ＤR  受話データ
ＤS  騒音データ
【図１】
0003888877.tif 000002
【図２】
0003888877.tif 000003
【図３】
0003888877.tif 000004
【図４】
0003888877.tif 000005
【図５】
0003888877.tif 000006